(57)【要約】【課題】常に撮影のレコメンドをするのでなく、ユーザが必要としている撮り直しを繰り返しているときのみ撮影設定の候補を提示する。【解決手段】撮影画像からシーンを判別する手段（ステップＳ５０１）と、類時シーンの所定の操作回数をカウントする手段（ステップＳ５０３）と、類似シーンの回数が所定回数を超えたか判定する手段（ステップＳ５０４）とを有し、類似シーンが所定回数を超えた場合に、対応した撮影設定候補を提示する。【選択図】図５
2012034199.tif 000002
【特許請求の範囲】
【請求項１】
撮像手段と、
前記撮像手段で撮像された画像を解析して得られる情報に基づいて撮影シーンを判定するシーン判定手段と、
所定の操作が行われたときに、前記シーン判定手段によって判定される撮影シーンが、該所定の操作が前回行われたときと類似の撮影シーンであるか否かを判定する類似判定手段と、
前記類似判定手段で類似の撮影シーンであると判定した回数をカウントするカウント手段と、
前記カウント手段でカウントした回数が閾値を超えた場合に、前記撮像手段での撮影状況に応じた撮影設定候補を提示する提示手段と、
を有することを特徴とする撮像装置。
【請求項２】
前記所定の操作が、撮影操作、撮影準備操作、撮影条件の変更操作の少なくとも１つを有することを特徴とする請求項１に記載の撮像装置。
【請求項３】
前記撮影シーンのカウント値が所定時間内に閾値を超えた場合に、撮影シーンに応じた撮影設定候補を提示する手段を有することを特徴とする請求項１に記載の撮像装置。
【請求項４】
画像を解析して得られる情報に基づいて撮影シーンを判定する手段と、
撮影操作または撮影準備操作が所定回数以上操作されたかを判別する手段と、
撮影条件の変更操作を検出する手段と、
前記所定回数だけ操作された時で、撮影条件変更操作があったときに撮影シーンに応じた撮影設定候補を提示する手段と、
を有することを特徴とする撮像装置。
【請求項５】
前記撮影操作または撮影準備操作の回数が所定時間内に閾値を超えた場合に、撮影シーンに応じた撮影設定候補を提示する手段を有することを特徴とする請求項４に記載の撮像装置。
【請求項６】
前記撮影設定候補として、撮影モードを提示する手段を有することを特徴とする請求項１に記載の撮像装置。
【請求項７】
前記撮影設定候補として、撮影条件を提示する手段を有することを特徴とする請求項１に記載の撮像装置。
【請求項８】
前記撮影シーンに応じた撮影設定候補を提示するときに設定候補の効果を文章として提示する手段を有することを特徴とする請求項１に記載の撮像装置。
【請求項９】
前記撮影シーンに応じた撮影設定候補を提示するときに設定候補の効果を表示器に同時に提示する手段を有することを特徴とする請求項１に記載の撮像装置。
【請求項１０】
前記撮影シーンに応じた撮影設定候補を提示するときに設定候補の効果を表示器に交互に提示する手段を有することを特徴とする請求項１に記載の撮像装置。
【請求項１１】
前記撮影操作をカウントしているときに、連写時は１枚目のみを撮影回数としてカウントする手段を有することを特徴とする請求項４に記載の撮像装置。
【請求項１２】
被写体像を撮像する撮像ステップと、
撮像ステップで撮像された画像を解析して得られる情報に基づいて撮影シーンを判定するシーン判定ステップと、
所定の操作が行われたときに、前記シーン判定ステップによって判定される撮影シーンが、該所定の操作が前回行われたときと類似の撮影シーンであるか否かを判定する類似判定ステップと、
前記類似判定ステップで類似の撮影シーンであると判定した回数をカウントするカウントステップと、
前記カウントステップでカウントした回数が閾値を超えた場合に、前記撮像ステップでの撮影状況に応じた撮影設定候補を提示する提示ステップと、
を有することを特徴とする撮像装置の制御方法。
【請求項１３】
請求項１２記載の撮像装置の制御方法を、コンピュータに実行させることを特徴とするプログラム。
【請求項１４】
請求項１３記載のプログラムを読み出し可能に格納したことを特徴とする記録媒体。
【発明の詳細な説明】
【技術分野】
【０００１】
本発明は，撮影状況に応じて好適な撮影が行えるように、撮影モード、設定項目等をユーザに提示する機能を備えた撮像装置、撮像装置の制御方法、プログラム及び記録媒体に関する。
【背景技術】
【０００２】
近年、画像解析技術を利用してシーン判別を行い、煩雑なカメラの撮影設定を行わなくても失敗の少ない撮影が可能な撮像装置が開発されている。一方、このような撮像装置では、シーン判定が難しい被写体への対応やユーザの好みの反映を簡便に行えるようにすることが求められている。
【０００３】
従来、このような撮像装置では、撮影された画像からシーン判別を行うことで自動的に処理条件を設定する方法又は表示する方法が提案されている。例えば、シーン検出をした結果に基づいてシーンに応じた撮影モードの並べ替えを行う技術が提案されている（例えば、特許第３９４８６５２号）。
【先行技術文献】
【特許文献】
【０００４】
【特許文献１】特登録０３９４８６５２
【発明の概要】
【発明が解決しようとする課題】
【０００５】
しかしながら、シーン判別を提示するようにした撮像装置では、撮影する度に毎回シーン判別の提案をする表示がされると、シャッターチャンスを優先してカメラ任せに撮影をしたいときに使い勝手が悪くなるという問題がある。
【０００６】
本発明の目的は、ユーザにとってシーン判別の提案が必要な状況であると判別したときにシーン判別の提案がなされるようにして好適な撮影が行えるようにする。これと共に、シーン判別の提案の必要がない状況でシーン判別の提案がなされるような煩わしさを排除して使い勝手を良くした、撮像装置、撮像装置の制御方法、プログラム及び記録媒体を提供することを目的とする。
【課題を解決するための手段】
【０００７】
上記目的を達成するために、本発明の撮像装置は、撮像手段と、前記撮像手段で撮像された画像を解析して得られる情報に基づいて撮影シーンを判定するシーン判定手段と、所定の操作が行われたときに、前記シーン判定手段によって判定される撮影シーンが、該所定の操作が前回行われたときと類似の撮影シーンであるか否かを判定する類似判定手段と、前記類似判定手段で類似の撮影シーンであると判定した回数をカウントするカウント手段と、前記カウント手段でカウントした回数が閾値を超えた場合に、前記撮像手段での撮影状況に応じた撮影設定候補を提示する提示手段と、を有することを特徴とする。
【発明の効果】
【０００８】
以上説明したように本発明によれば、撮影の際、常にシーン判別のレコメンドをするのでなく、ユーザにとってシーン判別の提案が必要な状況であると撮像装置側で判別したときにのみ撮影設定の候補を提示することができる。これにより、シーン判別の提案をして好適な撮影を行えるようにすると共に、シーン判別の提案の必要がない状況でシーン判別の提案がなされるような煩わしさを排除して使い勝手を良くできるという効果がある。
【図面の簡単な説明】
【０００９】
【図１】本発明の第１実施の形態に係わるデジタルカメラの外観図である。
【図２】本発明の第１実施の形態に係わるデジタルカメラの構成を示すブロック図である。
【図３】本第１実施の形態に係わるデジタルカメラの全体的な動作を示すフローチャートである。
【図４】本第１実施の形態に係わるデジタルカメラの静止画記録モードにおける一連の処理を示すフローチャートである。
【図５】本第１実施の形態に係わるデジタルカメラのレコメンド処理を示すフローチャートである。
【図６】本第１実施の形態に係わるデジタルカメラの撮影モードレコメンド表示を示すフローチャートである。
【図７】本第１実施の形態に係わるデジタルカメラのレコメンドあり表示を示す図である。
【図８】本第１実施の形態に係わるデジタルカメラの撮影レコメンド表示を示す図である。
【図９】本発明の第２実施の形態に係わるデジタルカメラの撮影設定操作を示すフローチャートである。
【図１０】本発明の第２実施の形態に係わるデジタルカメラの撮影設定レコメンド表示を示すフローチャートである。
【図１１】本発明の第２実施の形態に係わるデジタルカメラの撮影設定表示を示す説明図である。
【発明を実施するための形態】
【００１０】
（第１実施の形態）
以下、本発明の第１実施の形態に係わる、静止画像と動画との撮影が可能なデジタルカメラについて、図１乃至図８を参照しながら説明する。
【００１１】
［デジタルカメラの構成］
本第１実施の形態に係わるデジタルカメラの外観を示す図１で、１００はデジタルカメラの本体、２８は画像や各種情報を表示する表示部、７２は電源オン、電源オフを切り替える電源スイッチ、６１はシャッターボタンである。
【００１２】
このデジタルカメラ１００は、静止画記録モード、動画記録モード、再生モード等の各種モードを切り替えるモード切替スイッチ６０を備える。
【００１３】
このデジタルカメラ１００は、接続ケーブル１１１及びコネクタ１１２を介して、外部機器と接続されている。
【００１４】
このデジタルカメラ１００は、図１に示すような各種ボタン及び画像表示部２８の画面上に設けられたタッチパネル等の操作部材を、ユーザが操作して入力した各種の指令を受け付ける。
【００１５】
この操作部７０の各種ボタンは、消去ボタン、メニューボタン、ＳＥＴボタン、十字に配置された４方向ボタン（上ボタン、下ボタン、右ボタン、左ボタン）、ホイール７３等である。
【００１６】
このデジタルカメラ１００は、メモリカードやハードディスク等の記録媒体２００を備える。この記録媒体２００は、メモリカードやハードディスク等の記録媒体である。この記録媒体２００は、半導体メモリや磁気ディスク等から構成される記録部１９、デジタルカメラ１００とのインターフェース３７及び記録媒体２００とデジタルカメラ１００とを接続するためのコネクタ３６を備えている。
【００１７】
この記録媒体２００は、記録媒体スロット２０１に格納されて用いられる。記録媒体スロット２０１に格納された記録媒体２００は、デジタルカメラ１００との間で通信が可能となる。なお、２０２は、記録媒体スロット２０１の蓋である。
【００１８】
次に、本第１実施の形態に係わるデジタルカメラの電気系の概略構成について、図２のブロック図を参照して説明する。
【００１９】
図２のブロック図で、１０３は撮影レンズ、１０１は絞り機能を備えるシャッター、２２は光学像を電気信号に変換するＣＣＤやＣＭＯＳ素子であり、これら等により被写体像を撮影する撮像系が構成されている。
【００２０】
また、このデジタルカメラ１００は、アナログ信号をデジタル信号に変換するＡ／Ｄ変換器２３を備える。このＡ／Ｄ変換器２３は、撮像部２２から出力されるアナログ信号をデジタル信号に変換する場合や、音声制御部１１から出力されるアナログ信号をデジタル信号に変換する機能を備える。
【００２１】
このデジタルカメラ１００の撮像系は、撮影レンズ１０３、シャッター１０１及び撮像部２２の汚れや破損を防止するためのバリア１０２を、撮影レンズ１０３の前方に着脱可能に備える。
【００２２】
このデジタルカメラ１００は、撮像部２２、音声制御部１１、Ａ／Ｄ変換器２３、Ｄ／Ａ変換器１３にクロック信号や制御信号を供給するためのタイミング発生部１２を備える。このタイミング発生部１２は、メモリ制御部１５及びシステム制御部５０により制御される。
【００２３】
このデジタルカメラ１００は、Ａ／Ｄ変換器２３からのデータ又はメモリ制御部１５からのデータに対し所定の画素補間又は縮小といったリサイズ処理や色変換処理を行う、画像処理部２４を備える。
【００２４】
この画像処理部２４は、撮像した画像データを用いて所定の演算処理を行い、得られた演算結果に基づいてシステム制御部５０が露光制御、測距制御を行う。これにより、いわゆるＴＴＬ（スルー・ザ・レンズ）方式のＡＦ（オートフォーカス）処理、ＡＥ（自動露出）処理、ＥＦ（フラッシュプリ発光）処理が行われる。この画像処理部２４では、撮像した画像データを用いて所定の演算処理を行い、得られた演算結果に基づいていわゆるＴＴＬ方式のＡＷＢ（オートホワイトバランス）処理を行う。
【００２５】
このデジタルカメラ１００では、Ａ／Ｄ変換器２３からの出力データが画像処理部２４及びメモリ制御部１５を介して又は直接メモリ制御部１５を介して、メモリ３２に書き込まれる。
【００２６】
このメモリ３２は、撮像部２２によって得られＡ／Ｄ変換器２３によりデジタルデータに変換された画像データや、画像表示部２８に表示するための画像データを格納する。尚、メモリ３２は、マイク１０において録音された音声データ、静止画像、動画像および画像ファイルを構成する場合のファイルヘッダを格納するのにも用いられる。従って、メモリ３２は、所定枚数の静止画像や所定時間の動画像および音声を格納するのに十分な記憶容量を備えている。
【００２７】
このデジタルカメラ１００は、適応離散コサイン変換（ＡＤＣＴ）等により画像データを圧縮、伸張する圧縮／伸張部１６を備える。
【００２８】
この圧縮／伸張部１６は、シャッター１０１をトリガにしてメモリ３２に格納された撮影画像を読み込んで圧縮処理を行い、処理を終えたデータをメモリ３２に書き込む。また、この圧縮／伸張部１６は、記録媒体２００の記録部１９等からメモリ３２に読み込まれた圧縮画像に対して伸張処理を行い、処理を終えたデータをメモリ３２に書き込む。
【００２９】
この圧縮／伸張部１６によりメモリ３２に書き込まれた画像データは、システム制御部５０のファイル部においてファイル化され、インターフェース１８を介して記録媒体２００に記録される。なお、メモリ３２は、画像表示用のメモリ（ビデオメモリ）を兼ねている。
【００３０】
このデジタルカメラ１００は、Ｄ／Ａ変換器１３を備える。このＤ／Ａ変換器１３は、メモリ３２に格納されている画像表示用のデータをアナログ信号に変換して画像表示部２８に供給する。この画像表示部２８は、ＬＣＤ等の表示器上に、Ａ／Ｄ変換器２３からのアナログ信号に応じた表示を行う。このようにして、メモリ３２に書き込まれた表示用の画像データは、Ｄ／Ａ変換器１３を介して画像表示部２８に表示される。
【００３１】
このデジタルカメラ１００は、マイク１０を備える。このマイク１０から出力された音声信号は、アンプ等で構成される音声制御部１１を介してＡ／Ｄ変換器２３に供給され、Ａ／Ｄ変換器２３においてデジタル信号に変換された後、メモリ制御部１５によってメモリ３２に格納される。
【００３２】
また、このデジタルカメラ１００の記録媒体２００に記録されている音声データは、メモリ３２に読み込まれた後、Ｄ／Ａ変換器１３によりアナログ信号に変換される。音声制御部１１は、このアナログ信号によりスピーカ３９を駆動し、音声出力する。
【００３３】
このデジタルカメラ１００は、電気的に消去・記録可能なメモリであり、例えばＥＥＰＲＯＭ等で構成された不揮発性メモリ５６を備える。この不揮発性メモリ５６には、システム制御部５０の動作用の定数、プログラム等が記憶される。ここでいう、プログラムとは、後述するフローチャートで示した各種の処理を実行するためのプログラムのことである。
【００３４】
このデジタルカメラ１００は、デジタルカメラ１００全体の制御を司るシステム制御部５０を備える。このシステム制御部５０は、上述した不揮発性メモリ５６に記録されたプログラムを実行することで、後述する各種の処理を実行する。
【００３５】
このデジタルカメラ１００は、ＲＡＭで構成されたシステムメモリ５２を備える。このシステムメモリ５２には、システム制御部５０の動作用の定数、変数、不揮発性メモリ５６から読み出したプログラム等が展開される。
【００３６】
このデジタルカメラ１００は、システム制御部５０に各種の動作指示を入力するための操作手段である、モード切替スイッチ６０、第１シャッタースイッチ６２、第２シャッタースイッチ６４及び操作部７０を備える。
【００３７】
このモード切替スイッチ６０は、システム制御部５０の動作モードを静止画記録モード、動画記録モード、再生モード等の何れかに選択的に切り替え可能に構成されている。
【００３８】
このデジタルカメラ１００は、シャッターボタン６１を備える。このシャッターボタン６１には、第１シャッタースイッチ６２と第２シャッタースイッチ６４とが装着されている。
【００３９】
この第１シャッタースイッチ６２は、シャッターボタン６１の操作途中（半押し）状態でＯＮとなり第１シャッタースイッチ信号ＳＷ１を発生し、システム制御部５０へ送信する。この第１シャッタースイッチ信号ＳＷ１を受信したシステム制御部５０は、ＡＦ（オートフォーカス）処理、ＡＥ（自動露出）処理、ＡＷＢ（オートホワイトバランス）処理及びＥＦ（フラッシュプリ発光）処理等の動作を開始する。
【００４０】
第２シャッタースイッチ６４は、シャッターボタン６１の操作完了（全押し）状態でＯＮとなり、第２シャッタースイッチ信号ＳＷ２を発生し、システム制御部５０へ送信する。この第２シャッタースイッチ信号ＳＷ２を受信したシステム制御部５０は、撮像部２２からの信号読み出しから記録媒体２００に画像データを書き込むまでの一連の撮影処理の動作を開始する。
【００４１】
このデジタルカメラ１００の操作部７０は、各操作部材を備える。この各操作部材は、画像表示部２８に表示される種々の機能アイコンを選択操作すること等により、場面ごとに適宜機能が割り当てられ、各種の機能ボタンとして作用する。ここで言う機能ボタンには、例えば、終了ボタン、戻るボタン、画像送りボタン、ジャンプボタン、絞込みボタン、属性変更ボタン等がある。例えば、メニューボタンが押されると、各種設定が可能なメニュー画面が画像表示部２８に表示される。
【００４２】
このデジタルカメラ１００は、利用者が、画像表示部２８に表示されたメニュー画面と、４方向ボタンやＳＥＴボタンとを用いて直感的に各種設定を行うことができるように構成されている。
【００４３】
このデジタルカメラ１００は、電源オン、電源オフを切り替える電源スイッチ７２を備える。このデジタルカメラ１００は、アルカリ電池やリチウム電池等の一次電池やＮｉＣｄ電池やＮｉＭＨ電池、Ｌｉ電池等の二次電池、ＡＣアダプター等からなる電源部３０を備える。
【００４４】
このデジタルカメラ１００は、電池検出回路、ＤＣ−ＤＣコンバータ、通電するブロックを切り替えるスイッチ回路等により構成され、電池の装着の有無、電池の種類、電池残量の検出を行う電源制御部８０を備える。この電源制御部８０は、その検出結果及びシステム制御部５０の指示に基づいてＤＣ−ＤＣコンバータを制御し、必要な電圧を必要な期間、記録媒体２００を含む各部へ供給する。この電源制御部８０は、電源部３０と、コネクタ３３及び３４によって接続されている。
【００４５】
このデジタルカメラ１００は、日付及び時刻を計時する、ＲＴＣ（Ｒｅａｌ  Ｔｉｍｅ  Ｃｌｏｃｋ）４０を備える。このＲＴＣ４０は、電源制御部８０とは別に内部に電源部を保持しており、電源部３０が落ちた状態であっても計時状態を続けられるように構成されている。このデジタルカメラ１００では、システム制御部５０が起動時にＲＴＣ４０より取得した日時を用いてシステムタイマを設定し、タイマ制御を実行する。
【００４６】
このデジタルカメラ１００は、メモリカードやハードディスク等の記録媒体２００とのインターフェース１８を備える。このインターフェース１８は、記録媒体２００とコネクタ３５を介して接続されている。このコネクタ３５は、記録媒体２００が装着されているか否かを検知する記録媒体着脱検知部９８を備える。
【００４７】
このデジタルカメラ１００は、ＲＳ２３２Ｃ、ＵＳＢ、ＩＥＥＥ１３９４、Ｐ１２８４、ＳＣＳＩ、モデム、ＬＡＮ及び無線通信等の各種通信処理を行う通信部１１０を備える。このデジタルカメラ１００は、この通信部１１０及びコネクタ（無線通信の場合はアンテナ）１１２を介して他の機器と接続可能に構成されている。
【００４８】
［デジタルカメラの全体動作について］
次に、上述のように構成された本第１実施の形態に係わるデジタルカメラの全体的な一般動作処理について、図３のフローチャートを参照して説明する。
【００４９】
このデジタルカメラ１００のシステム制御部５０は、電源スイッチ７２が操作され電源がオンに切り替わるまで待機（ステップＳ３００でＮＯ）する。そして、システム制御部５０は、電源がオンに切り替わると（ステップＳ３００でＹＥＳ）、ステップＳ３０１においてフラグや制御変数等を初期化する。
【００５０】
次に、システム制御部５０は、記録媒体２００に記録されているファイルに関する管理処理を開始する（ステップＳ３０２）。
【００５１】
次に、システム制御部５０は、モード切替スイッチ６０の設定位置を判断する（ステップＳ３０３）。システム制御部５０は、静止画記録モードに設定されていたと判定した場合（ステップＳ３０３でＹＥＳ）に、ステップＳ３０４へ進み、静止画記録モード処理を実行する。なお、ステップＳ３０４の静止画記録モード処理の詳細は図４を用いて後述する。
【００５２】
システム制御部５０は、静止画記録モードに設定されていないと判定した場合（ステップＳ３０３でＮＯ）に、ステップＳ３０５へ進む。
【００５３】
システム制御部５０は、動画記録モードに設定されていると判定した場合（ステップＳ３０５でＹＥＳ）に、ステップＳ３０６へ進む。そしてシステム制御部５０は、動画記録モード処理（ステップＳ３０６）を実行する。
【００５４】
またシステム制御部５０は、動画記録モードに設定されていないと判定した場合（ステップＳ３０５でＮＯ）にステップＳ３０７へ進む。
【００５５】
次に、システム制御部５０は、モード切替スイッチ６０が再生モードに設定されていると判定した場合（ステップＳ３０７でＹＥＳ）に、ステップＳ３０８へ進む。そしてシステム制御部５０は、再生モード処理（ステップＳ３０８）を実行する。
【００５６】
また、システム制御部５０は、モード切替スイッチ６０が再生モードに設定されていないと判定した場合（ステップＳ３０７でＮＯ）に、ステップＳ３０９へ進み、選択されたモードに応じたその他のモード処理を実行する。その他のモード処理には、記録媒体２００に格納されたファイルの送信を行う送信モード処理、外部機器からファイルを受信して記録媒体２００に格納する受信モード処理が含まれる。
【００５７】
前述したステップＳ３０４、Ｓ３０６、Ｓ３０８、Ｓ３０９の内のモード切替スイッチ６０によって設定されたモードに対応した処理を実行した後、システム制御部５０はステップＳ３１０へ進む。システム制御部５０は、ステップＳ３１０において電源スイッチ７２がＯＦＦ状態か否かを判定する。システム制御部５０は、電源スイッチ７２が電源オンに設定されていると判定した場合（ステップＳ３１０でＮＯ）に、ステップＳ３０３に戻る。
【００５８】
一方、システム制御部５０は、電源スイッチ７２が電源オフに設定されていると判定した場合（ステップＳ３１０でＹＥＳ）に、ステップＳ３１０からステップＳ３１１へ進み、終了処理を行う。
【００５９】
この終了処理には、例えば、画像表示部２８の表示を終了状態に変更し、レンズバリア１０２を閉じて撮像部を保護する処理が含まれる。さらに、この終了処理には、フラグや制御変数等を含むパラメータや設定値、設定モードを不揮発性メモリ５６に記録し、電源供給が不要な部分への電源を遮断する処理が含まれる。システム制御部５０は、ステップＳ３１１の終了処理が完了した後、一般動作処理を終了し、電源をＯＦＦとする。
【００６０】
［静止画記録モード処理（ステップＳ３０４）について］
次に、上述した図３に示す一般動作処理における、ステップＳ３０４の静止画記録モード処理について、図４フローチャートを参照して説明する。なお、図４に示す静止画記録モード処理は、モード切替スイッチ６０により他のモードへの切替が行われた場合や電源スイッチ７２がＯＦＦにセットされた場合に、割り込み処理等により終了する。
【００６１】
システム制御部５０は、この静止画記録モード処理が開始されると、ステップＳ４０１において以下の場合に、撮影モードを確定する。
（Ａ）この撮影モードの確定は、不揮発性メモリ５６より前回の静止画記録モード終了時における撮影モードを取得してシステムメモリ５２に格納することでなされる。
（Ｂ）この撮影モードの確定は、ユーザにより操作部７０が操作されて撮影モードの設定入力があった場合に、その設定入力された撮影モードをシステムメモリ５２に格納することでなされる。
【００６２】
ここで言う撮影モードとは、撮影シーンに適したシャッター速度や絞り値、ストロボ発光状態、感度設定等を組み合わせて実現されるモードのことである。本第１実施の形態のデジタルカメラ１００は、以下のような撮影モードを有する。
【００６３】
第１に、オートモード：カメラの各種パラメータが、計測された露出値に基づいてデジタルカメラ１００に組み込まれたプログラムにより自動的に決定されるモード。
【００６４】
第２に、マニュアルモード：カメラの各種パラメータをユーザが自由に変更可能なモード。
【００６５】
第３に、シーンモード：撮影シーンに適したシャッター速度や絞り値、ストロボ発光状態、感度設定等の組み合わせが自動で設定されるモード。
【００６６】
なお、シーンモードには、以下のようなモードが含まれる。
（１）ポートレートモード：背景をぼかして人物を浮き立たせるようにして人物撮影に特化したモード、
（２）夜景モード：人物にストロボ光をあて背景を遅いシャッター速度で記録する、夜景シーンに特化したモード、
（３）風景モード：広がりのある風景シーンに特化したモード、
（４）ナイト＆スナップモード：三脚なしで夜景と人物をきれいに撮るのに適したモード、
（５）キッズ＆ペットモード：よく動き回る子供やペットをシャッターチャンスを逃さず撮影可能にしたモード、
（６）新緑＆紅葉モード：新緑等の木々や葉を色鮮やかに撮影するのに適したモード、
（７）パーティーモード：蛍光灯や電球のもとで、手振れを抑えて被写体に忠実な色味で撮影するモード、
（８）スノーモード：雪景色をバックにしても人物が暗くならず、青みも残さず撮影するモード、
（９）ビーチモード：太陽光の反射の強い海面や砂浜でも、人物などが暗くならずに撮影可能なモード、
（１０）花火モード：打ち上げ花火を最適な露出で鮮やかに撮影するためのモード、
（１１）水族館モード：屋内の水槽内の魚などを撮影するのに適した感度、ホワイトバランス、色味を設定するモード、
（１２）水中モード：水中に最適なホワイトバランスに設定し、青みを押さえた色合いで撮影するモード、
（１３）物撮り撮影モード：マクロモードに設定し、コントラストを高めに設定するモード、
（１４）花撮影モード：マクロモードに設定し、彩度も高めに設定するモード、
（１５）料理撮影モード：マクロモードに設定、彩度を高めに設定、フラッシュ非発光に設定するモード。
【００６７】
次に、システム制御部５０は、ステップＳ４０１において撮影モードが確定すると、続いて撮像部２２からの画像データを表示するスルー表示を行う（ステップＳ４０２）。
【００６８】
次に、システム制御部５０は，電源制御部８０を用いて電池等により構成される電源部３０の残容量や、記録媒体２００の有無や残容量がデジタルカメラ１００の動作に問題があるか否かを判定する（ステップＳ４０３）。システム制御部５０は、問題があると判定した場合（ステップＳ４０３でＮＯ）に、ステップＳ４０４において、画像表示部２８を用いて画像や音声により所定の警告表示を行い、処理をステップＳ４０１に戻す。
【００６９】
システム制御部５０は、電源部３０や記録媒体２００の状態に問題が無いと判定した場合（ステップＳ４０３でＹＥＳ）に、レコメンド判定処理に基づいたレコメンド表示処理を行う（ステップＳ４２０）。なお、レコメンド表示の詳細については、図６を参照して後述する。
【００７０】
次に、システム制御部５０は、必要に応じて分類情報の自動付与入／切設定を行う（ステップＳ４０５）。この自動付与入／切設定は、操作部７０において、メニューボタンを押すことで画像表示部２８に表示されるメニュー画面（不図示）によりユーザが任意に設定可能とされている。分類情報の自動付与入／切設定は、シーンモードならびに被写体条件により分類情報を自動付与するか否かのフラグによって設定する。この設定値（フラグのＯＮ／ＯＦＦ値）は、システムメモリ５２において保持される。
【００７１】
このデジタルカメラ１００では、分類情報の自動付与入／切設定の機能を持たせることで、ユーザによって意図しない分類情報が付与されることを、その時々に応じて防止することが可能となる。なお、分類情報については後述する。
【００７２】
次に、システム制御部５０は、スルー表示される画像信号中に人の顔が存在するか否かを検知する顔検出を行う（ステップＳ４０６）。システム制御部５０は、この顔検出処理で人の顔が検出された場合に画像信号中において検出した顔の位置座標、サイズ（幅、高さ）、検出個数、信頼性係数等を顔情報としてシステムメモリ５２に記憶する。この顔検出処理において顔が検出されなかった場合には、システムメモリ５２内の位置座標、サイズ（幅、高さ）、検出個数、信頼性係数等の領域に０を設定する。
【００７３】
次に、システム制御部５０は、第１シャッタースイッチ信号ＳＷ１がＯＮしているか否かを判定する（ステップＳ４０７）。この第１シャッタースイッチ信号ＳＷ１がＯＦＦの場合は、ステップＳ４２０に戻り、前述したステップＳ４２０、ステップＳ４０５、ステップＳ４０６の処理を繰り返す。
【００７４】
一方、システム制御部５０は、第１シャッタースイッチ信号ＳＷ１がＯＮの場合に、ステップＳ４０８に進む。ステップＳ４０８でシステム制御部５０は、測距処理を行って撮影レンズ１０３の焦点を被写体に合わせると共に、測光処理を行って絞り値及びシャッター時間（シャッタースピード）を決定する。
【００７５】
なお、システム制御部５０は、測光処理において、必要であればフラッシュの設定も行う。このときシステム制御部５０が、ステップＳ４０６において顔が検出されていれば、検出した顔の範囲で測距を行うように構成しても良い。
【００７６】
次に、システム制御部５０は、第２シャッタースイッチ信号ＳＷ２のＯＮ／ＯＦＦ状態を判定する（ステップＳ４０９）。
【００７７】
次に、システム制御部５０は、ステップＳ４０９で第２シャッタースイッチ信号ＳＷ２がＯＮになったと判定した場合に、ステップＳ４１１へ進む。
【００７８】
また、システム制御部５０は、ステップＳ４０９で第２シャッタースイッチ信号ＳＷ２がＯＦＦであると判定した場合に、ステップＳ４１０へ進む。
【００７９】
次に、システム制御部５０は、第１シャッタースイッチ信号ＳＷ１がＯＦＦであると判定した場合に、ステップＳ４２０へ戻る。
【００８０】
さらに、システム制御部５０は、第１シャッタースイッチ信号ＳＷ１がＯＮの状態で、第２シャッタースイッチ信号ＳＷ２がＯＦＦの状態の間は、ステップＳ４０９，ステップＳ４１０の処理を繰り返す。
【００８１】
次に、システム制御部５０は、ステップＳ４０９で第２シャッタースイッチＳＷ２が押されたことを検知した場合にステップＳ４１１へ進み、画像表示部２８の表示状態をスルー表示から固定色表示状態に設定する。
【００８２】
次に、システム制御部５０は、露光処理や現像処理を含む撮影処理を実行する（ステップＳ４１２）。なお、撮影処理での露光処理では、撮像部２２、Ａ／Ｄ変換器２３を経て得られた画像データが、画像処理部２４及びメモリ制御部１５を介して又はＡ／Ｄ変換器２３から直接メモリ制御部１５を介して、メモリ３２に書き込まれる。
【００８３】
また、撮影処理での現像処理では、システム制御部５０が、メモリ制御部１５そして必要に応じて画像処理部２４を用いて、メモリ３２に書き込まれた画像データを読み出して各種処理を行う。
【００８４】
なお、前述した測距処理及び測光処理（ステップＳ４０８）と、露光処理や現像処理を含む撮影処理（ステップＳ４１２）とは、設定されている撮影モードに応じて動作する。
【００８５】
次に、システム制御部５０は、画像表示部２８に対し撮影処理で得られた画像データのレックレビュー表示を行う（ステップＳ４１３）。ここで言うレックレビューとは、撮影画像の確認のために、被写体の撮影後記録媒体への記録前に、予め決められた時間（レビュー時間）だけ画像データを画像表示部２８に表示する処理である。
【００８６】
次に、システム制御部５０は、撮影処理で得られた画像データからレコメンド判定処理を行う（ステップＳ４１９）。なお、レコメンド判定処理の詳細は、図５を参照して後述する。
【００８７】
次に、システム制御部５０は、レックレビュー表示後、撮影処理で得られた画像データを画像ファイルとして記録媒体２００に対して書き込む記録処理を実行する（ステップＳ４１４）。
【００８８】
次に、システム制御部５０は、第２シャッタースイッチ信号ＳＷ２のＯＮ／ＯＦＦ状態を判定する（ステップＳ４１５）。システム制御部５０は、第２シャッタースイッチ信号ＳＷ２がＯＮであると判定した場合は、ステップＳ４１５の判定を繰り返し、第２シャッタースイッチ信号ＳＷ２がＯＦＦになるのを待つ。
【００８９】
この間、システム制御部５０は、上記レックレビューの表示を継続させる。すなわち、システム制御部５０は、記録処理（ステップＳ４１４）が終了した際に、第２シャッタースイッチ信号ＳＷ２がＯＦＦとされるまで画像表示部２８におけるレックレビュー表示を継続させる。
【００９０】
このように構成されたデジタルカメラによれば、ユーザは、シャッターボタン６１の全押し状態を継続することで、レックレビューを用いた撮影画像データの確認を入念に行うことが可能となる。
【００９１】
次に、システム制御部５０は、ユーザがシャッターボタン６１を全押しして撮影を行った後、シャッターボタン６１から手を放すなどして全押し状態が解除されると（ステップＳ４１５でＯＦＦ）、次のステップＳ４１６へ進む。
【００９２】
次に、システム制御部５０は、予め定められたレビュー時間が経過するまでレビュー処理を続行（ステップＳ４１６でＮＯ）し、レビュー時間が経過してから次のステップに進む（ステップＳ４１６でＹＥＳ）。
【００９３】
次に、システム制御部５０は、画像表示部２８の表示状態をレックレビュー表示からスルー表示状態に戻す（ステップＳ４１７）。この処理により、レックレビュー表示によって撮影画像データを確認した後、画像表示部２８の表示状態は次の撮影のために撮像部２２からの画像データを逐次表示するスルー表示状態に自動的に切り替わることになる。
【００９４】
次に、システム制御部５０は、第１シャッタースイッチ信号ＳＷ１のＯＮ／ＯＦＦを判定し、第１シャッタースイッチ信号ＳＷ１がＯＮと判定した場合（ステップＳ４１８でＯＮ）にステップＳ４０９へ戻る。すなわち、シャッターボタン６１の半押し状態が継続している（第１シャッタースイッチ信号ＳＷ１がＯＮ）場合に、システム制御部５０は、次の撮影に備える（ステップＳ４０９、ステップＳ４１０）。
【００９５】
また、システム制御部５０は、第１シャッタースイッチ信号ＳＷ１がＯＦＦと判定した場合（ステップＳ４１８でＯＦＦ）にステップＳ４２０へ処理を戻す。すなわち、システム制御部５０は、シャッターボタン６１が放された状態（第１シャッタースイッチ信号ＳＷ１がＯＦＦ）と判定した場合に、一連の撮影動作を終えて撮影待機状態に戻る（ステップＳ４２０）。
【００９６】
［レコメンド処理（Ｓ４１９）について］
次に、図４のステップＳ４１９でのレコメンド判定処理の詳細について、図５のフローチャートを参照して説明する。
【００９７】
このレコメンド判定処理が開始すると、システム制御部５０は、撮影処理で得られた画像データから顔検出情報、ＡＦ（オートフォーカス）処理情報、ＡＥ（自動露出）処理情報を参照する。これと共に、システム制御部５０は、ＥＦ（フラッシュプリ発光）処理情報、ＡＷＢ（オートホワイトバランス）処理情報、その他の画像情報を参照して、撮影シーンを判別する処理を行う。また、システム制御部５０は、判別した撮影シーンが何であるかを示す情報をシステムメモリ５２に記憶させる（次回以降は前回判定された撮影シーンとなる）（ステップＳ５０１）。すなわち、システム制御部５０は、光学像を電気信号に変換するＣＣＤやＣＭＯＳ素子２２等により構成された撮像手段で撮像された画像を解析して得られる情報に基づいて撮影シーンを判定するシーン判定手段を構成する。
【００９８】
次に、システム制御部５０は、システムメモリ５２に記憶された、前回判定された撮影シーンと、今回ステップＳ５０１で判定した撮影シーンとが、同一あるいは類似であるか否かを判定する（ステップＳ５０２）。なお、ステップＳ５０１では、判定可能な複数のシーンのうち何れか１つのシーンであると判定されるが、判定可能な複数のシーンはあらかじめ類似シーン同士が関連付けられて不揮発性メモリ５６に記録されているものとする。類似シーンとしては、ステップＳ５０１の判定で判別しにくい似たシーンを関連付けておく。例えば、ステップＳ５０２で判定されうる撮影シーンとして、夜景、風景、人物、花火があったとして、夜景と花火を類似シーンとしてあらかじめ関連付けておく。すなわち、システム制御部５０は、所定の操作が行われたときに、シーン判定手段によって判定される撮影シーンが、所定の操作が前回行われたときと類似の撮影シーンであるか否かを判定する類似判定手段を構成する。
【００９９】
次に、システム制御部５０は、類似シーンの関連付けに基づいて類似か否かを判定する（ステップＳ５０２）。システム制御部５０は、同一あるいは類似のシーンであると判定した場合（ステップＳ５０２でＹＥＳ）に、ステップＳ５０３へ進む。
【０１００】
そしてシステム制御部５０は、システムメモリ５２に用意した類似したシーンが連続で判定された回数を数えるための類似シーンカウンタのカウンタ値に１を加算し（ステップＳ５０３）、ステップＳ５０４へ進む。
【０１０１】
また、システム制御部５０は、同一あるいは類似のシーンでないと判定した場合（ステップＳ５０２でＮＯ）に、ステップＳ５０６へ進み、類似シーンカウンタのカウンタ値をクリアし、ステップＳ５０４へ進む。
【０１０２】
次に、システム制御部５０は、ステップＳ５０４で類似シーンカウンタのカウンタ値が、予め定められた閾値を超えたが否かを判定し、超えていると判定した場合（ステップＳ５０４でＹＥＳ）にステップＳ５０５に進む。
【０１０３】
次に、システム制御部５０は、レコメンド表示を有効にするフラグを立てる（システムメモリ５２に、レコメント表示を有効にする旨を記憶する）（ステップＳ５０５）。このフラグが立った場合には、図６を参照して後述するレコメンド表示処理により、撮影待機中に、撮影シーンに合った撮影モードが幾つか設定候補として表示され、ユーザに提示されることになる。あるいは、このフラグが立った場合には、図１０を参照して後述するレコメンド表示処理により、撮影シーンにおいて設定の調整を行うべき候補が表示され、ユーザに提示されることになる。
【０１０４】
ステップＳ５０４でカウンタ値が閾値を超えていないと判定されるか、ステップＳ５０５の処理を終了すると図５のレコメンド判別処理を終了する。
【０１０５】
［撮影モードレコメンド表示（Ｓ４２０）について］
次に、図４のステップＳ４２０での撮影モードレコメンド表示の処理の詳細について、図６のフローチャートを参照して説明する。
【０１０６】
この撮影モードレコメンド表示の処理が開始すると、システム制御部５０は、システムメモリ５２のフラグを参照し、レコメンド判定処理でレコメンド表示を有効にしているか否かの判定を行う（ステップＳ６０１）。
【０１０７】
次に、システム制御部５０は、レコメンド表示が無効と判定した場合（ステップＳ６０１でＮＯ）は、レコメンド表示を実行しないでレコメンド表示処理を終了する。
【０１０８】
また、システム制御部５０は、レコメンド表示が有効と判定した場合（ステップＳ６０１でＹＥＳ）に、次のステップＳ６０２に進む。そしてシステム制御部５０は、撮影処理で得られた画像データからＡＦ（オートフォーカス）処理の結果を確認し、被写体が近距離か否かを判定する（ステップＳ６０２）。このステップＳ６０２の判定は、現在の撮影状況が近距離撮影であるか否かの判定である。
【０１０９】
次に、システム制御部５０は、近距離でないと判定した場合（ステップＳ６０２でＮＯ）に、他の場合において提示すべき撮影モードを判定した上で、撮影モードを提示する他のシーンレコメンド処理を行う（ステップＳ６１１）。なお、他のシーンレコメンド処理は、本レコメンド表示処理と同様であるので、その説明を省略する。
【０１１０】
システム制御部５０は、近距離撮影であると判定した場合（ステップＳ６０２でＹＥＳ）に、ステップＳ６０３へ進む。そして、システム制御部５０は、ステップＳ６０３で、現在の撮影状況が近距離撮影の際にレコメンドすべき撮影モードとして予め定められた撮影モードを表示部２８に表示し、ユーザに推薦すべき設定候補として提示する。ここでは、図８に示す画面表示例の如く、物撮り撮影モード、花撮影モード、料理撮影モード、オートモード（カメラ任せ）が提示される。
【０１１１】
なお、本第１実施の形態のデジタルカメラでは、図７のような確認画面の表示を行い、ユーザからのレコメンドすべき撮影モードの表示指示を待ち、表示指示を受け付けた場合にのみ図８のような表示を行うように構成してもよい。
【０１１２】
次に、システム制御部５０は、レコメンド表示された撮影モードの中からいずれかの撮影モードの選択があったか否かを判定する（ステップＳ６０４）。なお、ユーザは、レコメンド撮影モードを指定する操作を、操作部７０を用いて行う。
【０１１３】
システム制御部５０は、撮影モードの選択がなかったと判定した場合（ステップＳ６０４でＮＯ）に、撮影モードを現在の撮影モードから変更することなくレコメンド表示処理を終了する。
【０１１４】
一方、システム制御部５０は、撮影モードの選択があったと判定した場合（ステップＳ６０４でＹＥＳ）に、ステップＳ６０５へ進む。
【０１１５】
次に、システム制御部５０は、ステップＳ６０５で選択された撮影モードが料理撮影モードであるか否かを判定する。そして、システム制御部５０は、料理撮影モードであると判定した場合（ステップＳ６０５でＹＥＳ）に、ステップＳ６１０へ進み、現在の撮影モードを変更して料理撮影モードに切り替える。
【０１１６】
次に、システム制御部５０は、ステップＳ６０５で料理撮影モードが選択されていないと判定した場合（ステップＳ６０５でＮＯ）に、ステップＳ６０６へ進む。そして、システム制御部５０は、花撮影モードが選択されたと判定した場合（ステップＳ６０６でＹＥＳ）には、ステップＳ６０９へ進み、花撮影モードに切り替える。また、システム制御部５０は、花撮影モードが選択されなかったと判定した場合（ステップＳ６０６でＮＯ）には、ステップＳ６０７へ進み、物撮り撮影モードが選択されたか否かを判別する（ステップＳ６０７）。そして、システム制御部５０は、物撮り撮影モードが選択されたと判定した場合（ステップＳ６０７でＹＥＳ）に、ステップＳ６０８へ進み、現在の撮影モードを変更して物撮り撮影モードに切り替える。
【０１１７】
次に、システム制御部５０は、ステップＳ６０７で物撮り撮影モードが選択されていないと判定した場合（ステップＳ６０７でＮＯ）に、オートモードが選択されたことになるので、ステップＳ６１２へ進む。この場合にシステム制御部５０は、現在の撮影モードをオートモードの切り替え（ステップＳ６１２）、図４のステップＳ４０５へリターンする。
【０１１８】
上述のように、本第１実施の形態に係わるデジタルカメラでは、ユーザが同じようなシーンで何度か連続して撮影を行った場合に撮影シーンカウント値が閾値を超えると、設定候補としての幾つかの撮影モードが表示される。
【０１１９】
これは、同じようなシーンが何度も撮影されている場合は、一度の撮影では満足がいかず、何度か同じ被写体を撮影している可能性が高いと考えられる。このため、このデジタルカメラでは、現在の撮影モード以外の撮影モードをユーザに提示し、より好適な撮影モードでの撮影を促すように構成されている。
【０１２０】
これによりユーザは、通常撮影時は撮影モードの候補表示を見ることなく撮影に集中できる。さらにユーザは、あるシーンについて撮影の設定や方法に悩んだ場合のみ、自動的に表示されるお勧め撮影モードを見て、容易に他の撮影モードに設定して自分の意図する撮影が可能となる。また、このデジタルカメラには、ユーザが同じ被写体を何度も撮影しているような場合に、撮影される画像が一様となってしまわないように促すという効果もある。
【０１２１】
（第２実施の形態）
次に、本発明の第２実施の形態に係わる、静止画像と動画との撮影が可能なデジタルカメラについて、図９乃至図１１を参照しながら説明する。
【０１２２】
本第２実施の形態に係わるデジタルカメラでは、撮影設定変更が行われたときに、何度か撮影設定を変更しているようであれば、設定にユーザが悩んでいるものとみなす。そして、このデジタルカメラでは、設定変更可能な撮影設定項目のうち、そのときの撮影状況に応じた幾つかの撮影設定項目をお勧めとして表示するよう構成されている。すなわち、このデジタルカメラでは、撮影操作または撮影準備操作が所定回数以上操作されたかを判別し、所定回数操作時に撮影条件変更操作があったときに撮影シーンに応じた撮影設定候補を提示するように構成する。
【０１２３】
次に、本第２実施の形態に係わるデジタルカメラの静止画記録モードにおける一連の処理において、撮影待機状態で露出補正操作を行った場合の処理について図９のフローチャートを参照して説明する。この処理は、図４におけるステップＳ４０６の後で、かつステップＳ４０７の前に行われる。
【０１２４】
すなわち、この撮影待機状態で露出補正操作を行った場合の処理は、システム制御部５０が、スルー表示される画像信号中に人の顔が存在するか否かを検知する顔検出（ステップＳ４０６）を行った後にスタートする。そして、撮影待機状態で露出補正操作を行った場合の処理では、システム制御部５０が、ユーザによる露出補正操作が行われたか否かを判定する（ステップＳ９０１）。
【０１２５】
システム制御部５０は、露出補正操作が行われたと判定した場合に、レコメンド判別処理を行う（ステップＳ９０２）。このレコメンド判別処理は、前述した図５のフローチャートを参照して説明した処理と同じである。
【０１２６】
次に、システム制御部５０は、レコメンド表示処理（ステップＳ９０３）を実行した後、図４のステップＳ４０７へ進む。
【０１２７】
また、ステップＳ９０１で露出補正操作が行われていないと判定した場合（ステップＳ９０１でＮＯ）には、図４のステップＳ４０７へ進む。
【０１２８】
［撮影設定レコメンド表示（Ｓ９０３）について］
次に、レコメンド表示処理の他の一例について、図１０のフローチャートを参照して説明する。
【０１２９】
図９のステップＳ９０３で撮影設定レコメンド表示処理が開始すると、システム制御部５０は、レコメンド表示を有効にしているか判定を行う（ステップＳ１００１）。システム制御部５０は、レコメンド表示が無効な状態であると判定した場合（ステップＳ１００２でＮＯ）に、レコメンド表示処理を終了する。
【０１３０】
また、システム制御部５０は、レコメンド表示が有効であると判定した場合に、撮影処理で得られた画像データからシーン判別を行い夕景か否かを判定する（ステップＳ１００２）。
【０１３１】
そして、システム制御部５０は、夕景以外であると判定した場合（ステップＳ１００２でＮＯ）に、他シーンのレコメンドを表示する処理を行う（ステップＳ１０１１）。
【０１３２】
また、システム制御部５０は、夕景であると判定した場合（ステップＳ１００２でＹＥＳ）に、レコメンド表示があることを画像表示部２８に表示する（ステップＳ１００３）。
【０１３３】
次に、システム制御部５０は、ユーザがレコメンド選択をしたと判定した場合（ステップＳ１００４でＹＥＳ）に、「明るさ」「色味」「コントラスト」について、お勧め設定をユーザに提示する。このお勧め設定の表示は、図１１に例示するような、ユーザへの設定提示方法により行われる。
【０１３４】
また、システム制御部５０は、ユーザがレコメンド選択をしていないと判定した場合（ステップＳ１００４でＮＯ）に、撮影設定レコメンド表示処理を終えて、図４のステップＳ４０７へリターンする。
【０１３５】
次に、システム制御部５０は、明るさ操作がされたか否かを判定し、明るさ操作がされたと判定した場合（ステップＳ１００５でＹＥＳ）に、ステップＳ１０１０へ進み、露出補正処理を実行する。
【０１３６】
また、システム制御部５０は、明るさ操作がされていないと判定した場合（ステップＳ１００５でＮＯ）に、次のステップＳ１００６へ進む。そして、システム制御部５０は、色味操作がされたか否かを判定し、色味操作がされたと判定した場合（ステップＳ１００６でＹＥＳ）に、ステップＳ１００９へ進み、ホワイトバランス（ＷＢ）処理を実行する。また、システム制御部５０は、色味操作がされていないと判定した場合（ステップＳ１００６でＮＯ）に、次のステップＳ１００７へ進む。
【０１３７】
次に、システム制御部５０は、コントラスト操作（画質をやわらかくする操作）がされたか否かを判定する（ステップＳ１００７）。そして、システム制御部５０は、コントラスト操作がされたと判定した場合（ステップＳ１００７でＹＥＳ）に、ステップＳ１００８へ進み、コントラスト補正処理を実行する。また、システム制御部５０は、コントラストを補正する操作がされていないと判定した場合（ステップＳ１００７でＮＯ）に、撮影設定レコメンド表示処理を終えて、図４のステップＳ４０７へリターンする。
【０１３８】
上述のように、本第２実施の形態に係わるデジタルカメラは、ユーザが露出補正等の撮影設定を類似シーンで繰り返した場合に他の撮影設定候補をユーザに提示するよう構成されている。
【０１３９】
よって、本第２実施の形態に係わるデジタルカメラでは、例えば、露出補正操作を類似シーンで行っていときにシーン判別結果に基づき、夕景の絵つくりに関連する色味設定やコントラスト設定をユーザに提示する。これにより、本第２実施の形態に係わるデジタルカメラのユーザは、カメラ設定に精通していなくても簡便に絵作りを行うことができるという効果がある。
【０１４０】
また、本第２実施の形態に係わるデジタルカメラのユーザは、設定をあまり変更せずにオート撮影を行っている際に、不要な撮影ガイダンスを見ずにすむので、撮影に集中することができる。
【０１４１】
なお、本第２実施の形態に係わるデジタルカメラでは、撮影操作と撮影条件の変更操作の１つである露出補正を例に取って説明したが、本発明を撮影準備操作や露出補正以外の撮影条件の変更操作について適用しても良い。
【０１４２】
また、本発明では、撮影操作時に類似シーンのカウントを所定時間内に絞ることにより、レコメンド表示の精度を向上させるように構成しても良い。さらに、本発明では、撮影操作時において、連写時２枚目以降をカウントしない（連写時は１枚目のみを撮影回数としてカウントする）ことでレコメンド表示の精度を向上させるように構成しても良い。
【０１４３】
さらに、本発明では、撮影設定候補の提示方法として、文章で効果の説明を表示する方法、実際に効果をスルー画表示に反映し複数表示する方法（この方法によれば、同時に効果を比較できる）を利用しても良い。これと共に、撮影設定候補の提示方法は、効果をスルー画表示に交互に表示する方法（この方法によれば、表示器が小さいときに、少しでも大きく表示した方が効果の確認が容易とできる）を利用しても良い。
【０１４４】
また、本発明のデジタルカメラでは、所定回数以上の撮影操作又は撮影準備操作があり、かつ撮影条件の変更操作があったときにレコメンド表示を行うように構成しても良い。
【０１４５】
なお、システム制御部５０の制御は、１つのハードウェアが行ってもよいし、複数のハードウェアが処理を分担することで、装置全体の制御を行ってもよい。
【０１４６】
また、本発明をその好適な実施の形態に基づいて詳述してきたが、本発明はこれら特定の実施の形態に限られるものではなく、この発明の要旨を逸脱しない範囲の様々な形態も本発明に含まれる。さらに、上述した各実施の形態は本発明の一実施の形態を示すものにすぎず、各実施の形態を適宜組み合わせることも可能である。
【０１４７】
また、上述した実施の形態においては、本発明をデジタルカメラに適用した場合を例にして説明したが、これに限定されるものではない。すなわち、本発明は、複数の画像を同時に表示するように制御可能な表示制御装置であれば適用可能である。本発明は、例えば、パーソナルコンピュータやＰＤＡ、携帯電話端末や携帯型の画像ビューワ、プリンタ装置に設けられた印刷画像選択および確認のためのディスプレイ、デジタルフォトフレーム等に適用可能である。
【０１４８】
（他の実施の形態）
本発明は、以下の処理を実行することによっても実現される。即ち、上述した実施の形態の機能を実現するソフトウェア（プログラム）をネットワーク又は各種記憶媒体を介してシステム又は装置に供給する。そのシステム又は装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2012034199.tif 000003
【図２】
2012034199.tif 000004
【図３】
2012034199.tif 000005
【図４】
2012034199.tif 000006
【図５】
2012034199.tif 000007
【図６】
2012034199.tif 000008
【図７】
2012034199.tif 000009
【図８】
2012034199.tif 000010
【図９】
2012034199.tif 000011
【図１０】
2012034199.tif 000012
【図１１】
2012034199.tif 000013